(57)【要約】      （修正有）【課題】建物の外壁美観を損なうことなく移動させることができ、かつ損傷しずらい壁用目地装置を得るにある。【解決手段】目地部4を介した左右の建物2の、左右の躯体に後端部がヒンジ部材を介して取付けられた中央部に枢支部が形成された少なくとも２対以上の中央維持リンク機構7と、この少なくとも２対以上の中央維持リンク機構7の中央枢支部に枢支された山形形状のガイド部材8と、このガイド部材8に先端部が当接するように傾斜面に形成され、後端部が前記左右の躯体にヒンジ部材を介して回動可能に取付けられたガラスや石材等の壁化粧材11が表面に位置するように固定された左右の壁パネル13と、この左右の壁パネル13の先端部が常時ガイド部材8に当接するように、該ガイド部材8に設けたガイド部を介して付勢する左右の付勢装置15と、左右の壁パネルの先端部が常時当接するような方向に付勢する付勢装置とで壁用目地装置を構成している。【選択図】図２
2009068183.tif 000002
【特許請求の範囲】
【請求項１】
目地部を介して建てられた左右の建物の、該目地部を覆う壁部位の左右の躯体に後端部がヒンジ部材を介して取付けられた中央部に枢支部が形成された少なくとも２対以上の中央維持リンク機構と、この少なくとも２対以上の中央維持リンク機構の中央枢支部に枢支された山形形状のガイド部材と、このガイド部材に先端部が当接するように傾斜面に形成され、後端部が前記左右の躯体にヒンジ部材を介して回動可能に取付けられたガラスや石材等の壁化粧材が表面に位置するように固定された左右の壁パネルと、この左右の壁パネルの先端部が常時前記ガイド部材に当接するように、該ガイド部材に設けたガイド部を介して付勢する左右の付勢装置と、前記左右の壁パネルの先端部が常時当接するような方向に付勢する付勢装置とからなることを特徴とする壁用目地装置。
【発明の詳細な説明】
【技術分野】
【０００１】
本発明は目地部を介して設けられた左右の建物の壁面間の目地部を覆う壁用目地装置に関する。
【背景技術】
【０００２】
従来、この種の壁用目地装置は目地部を介して建てられた左右の建物の、該目地部を覆う部位の左右の躯体に後端部がヒンジを介して取付けられ、前方へ回動する先端部が対向する傾斜面に形成された目地部を覆う左右の壁パネルと、この左右の壁パネルの背面の後端部寄りの部位に、該左右の壁パネルの背面と所定寸法離れた部位に枢支部が位置するように取付けられた少なくとも２対以上のヒンジ部材と、この少なくとも２対以上のヒンジ部材の可動部材に両端部が枢支された少なくとも２個以上の中央維持リンク機構と、この少なくとも２個以上の中央維持リンク機構の中央枢支部に枢支された少なくとも前記左右の壁パネル側に設けられた、該左右の壁パネルの背面側の先端部が鋭角となる側が傾斜面に形成された支持バーと、この支持バーの傾斜面側の左右の壁パネルの一方の背面に取付けられた目地部が狭くなると、該支持バーの傾斜面によって前方へ突出させる山形状のせり上げガイドと、前記左右の壁パネルの先端部を常時前記支持バーに当接あるいは、該左右の壁パネルが一直線状となるように付勢する付勢機構とで構成されていた。
【０００３】
このため、構造が複雑で、コスト高となるとともに、左右の壁パネルの先端部が左右の建物の種々な揺れ動きに、せり上げガイドがじゃまになって移動しずらく、左右の壁パネルを損傷させやすいという欠点があった。
【特許文献１】特開２００５−３０１２７
【発明の開示】
【発明が解決しようとする課題】
【０００４】
本発明は以上のような従来の欠点に鑑み、左右の建物の外壁に応じて美観を損なわない壁用目地装置にすることができるとともに、目地部が狭くなっても左右の壁パネルが左右の壁躯体に当接するまでは先端部が当接状態を維持し、左右の壁パネルが左右の壁躯体に当接すると、左右の壁パネルの先端部のいずれかがスムーズにスライド移動して、左右の壁パネルの損傷を効率よく阻止することができる、美観を損なうことなく移動させることができ、かつ損傷しずらい壁用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の、該目地部を覆う壁部位の左右の躯体に後端部がヒンジ部材を介して取付けられた中央部に枢支部が形成された少なくとも２対以上の中央維持リンク機構と、この少なくとも２対以上の中央維持リンク機構の中央枢支部に枢支された山形形状のガイド部材と、このガイド部材に先端部が当接するように傾斜面に形成され、後端部が前記左右の躯体にヒンジ部材を介して回動可能に取付けられたガラスや石材等の壁化粧材が表面に位置するように固定された左右の壁パネルと、この左右の壁パネルの先端部が常時前記ガイド部材に当接するように、該ガイド部材に設けたガイド部を介して付勢する左右の付勢装置と、前記左右の壁パネルの先端部が常時当接するような方向に付勢する付勢装置とで壁用目地装置を構成している。
【発明の効果】
【０００７】
以上の説明から明らかなように、本発明にあっては次に列挙する効果が得られる。
【０００８】
（１）目地部を介して建てられた左右の建物の、該目地部を覆う壁部位の左右の躯体に後端部がヒンジ部材を介して取付けられた中央部に枢支部が形成された少なくとも２対以上の中央維持リンク機構と、この少なくとも２対以上の中央維持リンク機構の中央枢支部に枢支された山形形状のガイド部材と、このガイド部材に先端部が当接するように傾斜面に形成され、後端部が前記左右の躯体にヒンジ部材を介して回動可能に取付けられたガラスや石材等の壁化粧材が表面に位置するように固定された左右の壁パネルと、この左右の壁パネルの先端部が常時前記ガイド部材に当接するように、該ガイド部材に設けたガイド部を介して付勢する左右の付勢装置と、前記左右の壁パネルの先端部が常時当接するような方向に付勢する付勢装置とで構成されているので、左右の壁パネルの表面にガラスや石材等の壁化粧材を固定しているので、左右の建物の外壁の美観を損なうことなく、向上させることができる。
【０００９】
（２）前記（１）によって、目地部が狭くなるように左右の建物が揺れ動くと、左右の壁パネルが合掌状態で前方へ突出させ、該左右の壁パネルが左右の壁躯体に当接すると、左右の壁パネルの先端部がスムーズにスライド移動させることができる。このため、左右の壁パネルの損傷を防止することができるとともに、左右の壁パネルを、美観を損なうことなく移動させることができる。
【００１０】
（３）前記（１）によって、左右の建物の揺れ動きが停止すると、自動的に元の状態へ戻すことができる。
【００１１】
（４）前記（１）によって、構造が簡単であるので、容易に設置することができる。
【発明を実施するための最良の形態】
【００１２】
以下、図面に示す本発明を実施するための最良の形態により、本発明を詳細に説明する。
【００１３】
図１ないし図１１に示す本発明を実施するための最良の第１の形態において、１は左右の建物２、２の一方の建物２の目地部側の外壁面３と他方の建物２の目地部側の端部外壁面３との間の目地部４を覆う本発明の壁用目地装置で、この壁用目地装置１は前記目地部４の左右の建物２、２の躯体２ａ、２ａに後端部がヒンジ部材５、５を介して取付けられた中央部に中央枢支部６が形成された少なくとも２対以上の中央維持リンク機構７、７と、この少なくとも２対以上の中央維持リンク機構７、７の中央枢支部６、６に枢支ピン８、８で枢支された山形形状のガイド部材８と、このガイド部材８に先端部が当接するように傾斜面９、９に形成され、後端部が前記左右の躯体２ａ、２ａにヒンジ部材１０、１０を介して前方へ回動可能に取付けられたガラス、石材、木材等の壁化粧材１１が凹部１２が形成された表面内に位置するように固定された左右の壁パネル１３、１３と、この左右の壁パネル１３、１３の先端部が常時前記ガイド部材８に当接するように、該ガイド部材８に設けたガイド部１４、１４を介して付勢する少なくとも一対、本発明を実施する形態では２対の左右の付勢装置１５、１５、１５、１５と、前記左右の壁パネル１３、１３の先端部が常時当接するような方向に付勢する付勢装置１６とで構成されている。
【００１４】
前記少なくとも２対以上の中央維持リンク機構７、７は図３に示すように、四角枠形状のリンク機構１７と、このリンク機構１７の対向する一方のリンク１７ａ、１７ａのほぼ中央部に両端部が枢支ピン１８、１８で枢支された中央部に中央枢支部６が形成された中央維持バー１９とで構成されている。
【００１５】
前記左右の壁パネル１３、１３は図５に示すように、先端部が傾斜面９、９に形成され、前面に壁化粧材１１を収納する凹部１２が形成された金属材製の壁パネル本体２０と、この壁パネル本体２０の凹部１２内に、周囲にクッション材２１とシール剤２２を介して固定された壁化粧材１１とで構成されている。
【００１６】
前記左右の付勢機構１５、１５、１５、１５は一端部が前記左右の壁パネル１３、１３の先端部に固定され、前記ガイド部材１４に形成された貫通孔２３、２３、この貫通孔２３、２３の近傍のガイド部材８内に取付けられたガイド部としてのガイドローラ１４、１４を介して、他端部が左右の躯体２ａ、２ａにスプリング２４、２４を介して固定されたワイヤー２５、２５とで構成されている。
【００１７】
前記付勢装置１６は一端部が一方の壁パネル１３の先端部に固定され、他端部が他方の壁パネル１３の先端部のガイドリング２６を通過して、該他方の壁パネル１３の後端部側に固定されたスプリング２７を介装したワイヤー２８で構成されている。
なお、スプリング２７を介装したワイヤー２８は他方の壁パネル１３の内部あるいは内壁面に位置するように取付けてもよい。
【００１８】
上記構成の壁用目地装置１は通常時は図２に示すように、目地部４をほぼ同一面に位置する壁化粧材１１、１１が固定された壁パネル１３、１３で覆われているので、左右の建物２、２の外壁の美観を損なわない壁化粧材１１、１１が使用でき、壁用目地装置１によって左右の建物２、２の美観が損なわれない。
【００１９】
左右の建物２、２が異なる左右方向に地震で揺れ動き、目地部４が広くなった場合、図８に示すように少なくとも２対以上の中央維持リンク機構７、７は伸長するが、中央枢支部６、６に枢支された山形形状のガイド部材８は目地部４の中央部に位置するとともに、左右の壁パネル１３、１３は先端部がガイド部材８方向へ左右の付勢装置１５、１５に付勢されるため、左右の壁パネル１３、１３が左右方向へ中央部に隙間が生じるようにスライド移動し、その揺れ動きが停止すると左右の付勢装置１５、１５によって、自動的に元の状態へ戻る。
【００２０】
左右の建物２、２が異なる左右方向に地震で揺れ動き、目地部４が狭くなった場合、図９に示すように少なくとも２対以上の中央維持リンク機構７、７は収縮するが、中央枢支部６、６に枢支された山形形状のガイド部材８は目地部４の中央部に位置するとともに、左右の付勢装置１５、１５の付勢力に抗して、左右の壁パネル１３、１３は合掌状態で先端部が前方へ突出して、その揺れ動きを吸収する。
さらに左右の建物２、２が異なる前後方向に揺れ動き、左右の壁パネル１３、１３が図１０に示すように左右の躯体２ａ、２ａに当接すると、付勢装置１６の付勢力に抗して、左右の壁パネル１３、１３の先端部が図１１に示すようにスライド移動して、左右の壁パネル１３、１３の損傷を防止し、その揺れ動きが停止すると左右の付勢装置１５、１５および付勢装置１６の付勢力によって、自動的に元の状態へ戻る。
[発明を実施するための異なる形態]
【００２１】
次に、図１２ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１２および図１３に示す本発明を実施するための第２の形態において、前記本発明を実施するための最良の第１の形態と主に異なる点は、左右の建物２、２の目地部４の端部の左右の躯体２ａ、２ａに２対以上の中央維持リンク機構７、７と左右の壁パネル１３、１３を取付けた点で、このように構成した壁用目地装置１Ａにしても、前記本発明を実施するための最良の第１の形態と同様な作用効果が得られる。
【００２３】
図１４ないし図１７に示す本発明を実施するための第３の形態において、前記本発明を実施するための最良の第１の形態と主に異なる点は、パンタグラフ形状の少なくとも２対以上の中央維持リンク機構７Ａ、７Ａと、この少なくとも２対以上の中央維持リンク機構７Ａ、７Ａの背面の左右の躯体２ａ、２ａにガイドリング２９、２９を介して通過されたワイヤー３０、３０の下端部に重り３１、３１を取付けた左右の付勢装置１５Ａ、１５Ａを用いた点で、このような少なくとも２対以上の中央維持リンク機構７Ａ、７Ａと左右の付勢装置１５Ａ、１５Ａ  を用いて構成した壁用目地装置１Ｂにしても、前記本発明を実施するための最良の第１の形態と同様な作用効果が得られる。
【産業上の利用可能性】
【００２４】
本発明は壁用目地装置を製造する産業で利用される。
【図面の簡単な説明】
【００２５】
【図１】本発明を実施するための最良の第１の形態の正面図。
【図２】図１の２−２線に沿う拡大断面図。
【図３】本発明を実施するための最良の第１の形態の中央維持リンク機構を取付けた状態の正面図。
【図４】本発明を実施するための最良の第１の形態のガイド部材を取付けた状態の正面図。
【図５】本発明を実施するための最良の第１の形態の壁パネルの説明図。
【図６】本発明を実施するための最良の第１の形態の左右の付勢装置の説明図。
【図７】本発明を実施するための最良の第１の形態の付勢装置の説明図。
【図８】本発明を実施するための最良の第１の形態の目地部が広くなる動作状態の説明図。
【図９】本発明を実施するための最良の第１の形態の目地部が狭くなる動作状態の説明図。
【図１０】本発明を実施するための最良の第１の形態の異なる前後方向の動作状態の説明図。
【図１１】本発明を実施するための最良の第１の形態の左右の壁パネルのスライド状態の説明図。
【図１２】本発明を実施するための第２の形態の正面図。
【図１３】図１２の１３−１３線に沿う拡大断面図。
【図１４】本発明を実施するための第３の形態の正面図。
【図１５】図１４の１５−１５線に沿う拡大断面図。
【図１６】本発明を実施するための第３の形態の中央維持リンク機構の説明図。
【図１７】図１５の１７−１７線に沿う拡大断面図。
【符号の説明】
【００２６】
１、１Ａ、１Ｂ：壁用目地装置、２：建物、
３：外壁面、                                    ４：目地部、
５：ヒンジ部材、                            ６：中央枢支部、
７、７Ａ：中央維持リンク機構、８：枢支ピン、
８：ガイド部材、                            ９：傾斜面、
１０：ヒンジ部材、                        １１：壁化粧材、
１２：凹部、                                    １３：壁パネル、
１４：ガイド部、                            １５、１５Ａ：左右の付勢装置、
１６：付勢装置、                            １７：リンク機構、
１８：枢支ピン、                            １９：中央維持バー、
２０：壁パネル本体、                    ２１：クッション材、
２２：シール剤、                            ２３：貫通孔、
２４：スプリング、                        ２５：ワイヤー、
２６：ガイドリング、                    ２７：スプリング、
２８：ワイヤー、                            ２９：ガイドリング、
３０：ワイヤー、                            ３１：重り。
【図１】
2009068183.tif 000003
【図２】
2009068183.tif 000004
【図３】
2009068183.tif 000005
【図４】
2009068183.tif 000006
【図５】
2009068183.tif 000007
【図６】
2009068183.tif 000008
【図７】
2009068183.tif 000009
【図８】
2009068183.tif 000010
【図９】
2009068183.tif 000011
【図１０】
2009068183.tif 000012
【図１１】
2009068183.tif 000013
【図１２】
2009068183.tif 000014
【図１３】
2009068183.tif 000015
【図１４】
2009068183.tif 000016
【図１５】
2009068183.tif 000017
【図１６】
2009068183.tif 000018
【図１７】
2009068183.tif 000019